(57)【要約】【課題】家庭内の電気機器に対して広く遠隔制御が適用でき、簡単な指示で家庭内の電気機器を遠隔制御できる遠隔制御システムを提供する。【解決手段】遠隔制御システム１は、遠隔制御が行われる少なくとも１つの電気機器５と、公衆回線によって通信可能なファクシミリ装置２と、所定の位置に配置され、ユーザによって電気機器５を動作させるために示された指令図形を撮影するカメラ３と、カメラ３によって撮影された指令図形に基づいて電気機器５に対する動作命令を生成し、電気機器５に送信するパーソナルコンピュータ４と、カメラ３とパーソナルコンピュータ４とを通信可能とする第１の通信用ケーブル６と、パーソナルコンピュータ４と電気機器５とを通信可能とする第２の通信用ケーブル７と、備える。【選択図】図１
2008211546.tif 000002
【特許請求の範囲】
【請求項１】
電気機器の遠隔制御を行う遠隔制御システムにおいて、
遠隔制御が行われる少なくとも１つの電気機器と、
公衆回線によって通信可能なファクシミリ装置と、
所定の位置に配置され、ユーザによって前記電気機器を動作させるために示された指令図形を撮影する撮影手段と、
前記撮影手段によって撮影された前記指令図形に基づいて前記電気機器に対する動作命令を生成し、前記電気機器に送信する情報処理手段と、
前記撮影手段と前記情報処理手段とを通信可能とする第１の通信手段と、
前記情報処理手段と前記電気機器とを通信可能とする第２の通信手段と、
を備え、
前記所定の位置は、前記ファクシミリ装置が印刷処理して排出した画像を撮影可能な位置であって、
前記情報処理手段は、情報を記憶する記憶手段を有しており、前記撮影手段によって撮影された前記指令図形と前記記憶手段に記憶されている図形とを比較し、前記記憶手段に記憶されている画像の中から前記指令画像と一致する画像を見つけ、前記一致する図形と対応付けて前記記憶手段に記憶されている動作命令を前記電気機器に対する動作命令として生成することを特徴とする遠隔制御システム。
【請求項２】
電気機器の遠隔制御を行う遠隔制御システムにおいて、
遠隔制御が行われる少なくとも１つの電気機器と、
所定の位置に配置され、ユーザによって前記電気機器を動作させるために示された指令画像を撮影する撮影手段と、
前記撮影手段によって撮影された前記指令画像に基づいて前記電気機器に対する動作命令を生成し、前記電気機器に送信する情報処理手段と、
前記撮影手段と前記情報処理手段とを通信可能とする第１の通信手段と、
前記情報処理手段と前記電気機器とを通信可能とする第２の通信手段と、
を備えることを特徴とする遠隔制御システム。
【請求項３】
公衆回線によって通信可能なファクシミリ装置を更に備え、
前記所定の位置は、前記ファクシミリ装置が印刷処理して排出した画像を撮影可能な位置であることを特徴とする請求項２に記載の遠隔制御システム。
【請求項４】
前記情報処理手段は、情報を記憶する記憶手段を有しており、前記撮影手段によって撮影された前記指令画像と前記記憶手段に記憶されている画像とを比較し、前記記憶手段に記憶されている画像の中から前記指令画像と一致する画像を見つけ、前記一致する画像と対応付けて前記記憶手段に記憶されている動作命令を前記電気機器に対する動作命令として生成することを特徴とする請求項２又は３に記載の遠隔制御システム。
【請求項５】
前記指令画像は図形であることを特徴とする請求項２から４のいずれかに記載の遠隔制御システム。
【請求項６】
電気機器を遠隔制御する遠隔制御方法において、
ユーザが示した指令画像を撮影するステップと、
撮影された前記指令画像に基づいて前記電気機器に対する動作命令を生成するステップと、
前記動作命令を前記電気機器に送信するステップと、
を備えることを特徴とする遠隔制御方法。
【請求項７】
電気機器の遠隔制御を行うために用いられる情報処理装置であって、
情報を記憶する記憶手段と、
外部から受信した画像であって遠隔制御のためにユーザが示した指令画像と、前記記憶手段に記憶される画像とを比較し、前記記憶手段に記憶される画像の中から前記指令画像と一致する画像を探す画像比較手段と、
前記画像比較手段によって見つけられた前記一致する画像と対応付けて前記記憶手段に記憶されている動作命令を前記電気機器に対する動作命令として生成する動作命令生成手段と、
前記動作命令生成手段によって生成された動作命令を前記電気機器に送信する動作命令送信手段と、
を備えることを特徴とする遠隔制御用の情報処理装置。
【発明の詳細な説明】
【技術分野】
【０００１】
本発明は、電気機器を遠隔制御するための遠隔制御システム、遠隔制御方法、及び遠隔制御用の情報処理装置に関する。
【背景技術】
【０００２】
従来、家庭内の機器（例えば、テレビジョン装置、ビデオレコーダ、オーディオ装置など）を遠隔制御する手段として、リモートコントローラが用いられる。また、リモートコントローラ以外の遠隔制御の方法としては、例えば、特許文献１や特許文献２に示される手法がある。
【０００３】
特許文献１においては、遠隔のファクシミリ装置よりビデオレコーダに接続されたファクシミリ装置へビデオレコーダを制御して録画予約するための制御命令を送信し、上記ビデオレコーダに接続されたファクシミリ装置によって上記制御命令に従って上記ビデオレコーダに録画予約情報を与える遠隔制御方法が示されている。
【０００４】
また、特許文献２においては、撮影手段と、これによって撮影された画像の動きを検出する動き検出手段と、検出された画像から動きのある部分を抽出する動き部分抽出手段と、抽出された部分の画像の動き及び／又は形状を認識する画像認識手段と、対象の操作機器とのインターフェースとなる操作機器インターフェース手段と、からなり、認識された動き及び形状の変化によって制御対象となる操作機器を制御する遠隔制御方法が提案されている。
【特許文献１】特開平１０−３７０９号公報
【特許文献２】特開２００１−５９７５号公報
【発明の開示】
【発明が解決しようとする課題】
【０００５】
しかしながら、リモートコントローラを用いた遠隔制御方法は、遠隔制御を行う機器毎に必要となる。このために、機器毎にリモートコントローラの操作を覚える必要があり、ユーザにとって必ずしも使い勝手の良いものとは言えない。また、リモートコントローラによる遠隔制御は、操作対象の機器からの距離が遠くなりすぎると遠隔制御できなくなる。
【０００６】
また、特許文献１に示すような遠隔制御方法の場合には、予めファクシミリ装置が有する性能によって操作対象の機器に送信できるコマンドが限られてしまうために、家庭内に存在する複数の機器に対して広く適用するのは難しく、操作対象とする機器の変更等も容易ではない。
【０００７】
更に、特許文献２に示すような遠隔制御方法の場合には、カメラで移る範囲での画像の動き及び形状の変化によって制御機器を操作する構成であるために、家庭外等、操作機器からの距離が遠くなった場合に、機器の制御が不能となる。
【０００８】
以上の問題点に鑑みて、本発明の目的は、家庭内の電気機器に対して広く遠隔制御が適用でき、簡単な指示で家庭内の電気機器を遠隔制御できる遠隔制御システム及び遠隔制御方法を提供することである。また、本発明の他の目的は、そのような遠隔制御システムや遠隔制御方法を実施する場合に用いられる遠隔制御用の情報処理装置を提供することである。
【課題を解決するための手段】
【０００９】
上記目的を達成するために本発明は、電気機器の遠隔制御を行う遠隔制御システムにおいて、遠隔制御が行われる少なくとも１つの電気機器と、公衆回線によって通信可能なファクシミリ装置と、所定の位置に配置され、ユーザによって前記電気機器を動作させるために示された指令図形を撮影する撮影手段と、前記撮影手段によって撮影された前記指令図形に基づいて前記電気機器に対する動作命令を生成し、前記電気機器に送信する情報処理手段と、前記撮影手段と前記情報処理手段とを通信可能とする第１の通信手段と、前記情報処理手段と前記電気機器とを通信可能とする第２の通信手段と、を備え、前記所定の位置は、前記ファクシミリ装置が印刷処理して排出した画像を撮影可能な位置であって、前記情報処理手段は、情報を記憶する記憶手段を有しており、前記撮影手段によって撮影された前記指令図形と前記記憶手段に記憶されている図形とを比較し、前記記憶手段に記憶されている画像の中から前記指令画像と一致する画像を見つけ、前記一致する図形と対応付けて前記記憶手段に記憶されている動作命令を前記電気機器に対する動作命令として生成することを特徴としている。
【００１０】
また、上記目的を達成するために本発明は、電気機器の遠隔制御を行う遠隔制御システムにおいて、遠隔制御が行われる少なくとも１つの電気機器と、所定の位置に配置され、ユーザによって前記電気機器を動作させるために示された指令画像を撮影する撮影手段と、前記撮影手段によって撮影された前記指令画像に基づいて前記電気機器に対する動作命令を生成し、前記電気機器に送信する情報処理手段と、前記撮影手段と前記情報処理手段とを通信可能とする第１の通信手段と、前記情報処理手段と前記電気機器とを通信可能とする第２の通信手段と、を備えること特徴としている。
【００１１】
また、本発明は、上記構成の遠隔制御システムにおいて、公衆回線によって通信可能なファクシミリ装置を更に備え、前記所定の位置は、前記ファクシミリ装置が印刷処理して排出した画像を撮影可能な位置であることを特徴としている。
【００１２】
また、本発明は、上記構成の遠隔制御システムにおいて、前記情報処理手段は、情報を記憶する記憶手段を有しており、前記撮影手段によって撮影された前記指令画像と前記記憶手段に記憶されている画像とを比較し、前記記憶手段に記憶されている画像の中から前記指令画像と一致する画像を見つけ、前記一致する画像と対応付けて前記記憶手段に記憶されている動作命令を前記電気機器に対する動作命令として生成することを特徴としている。
【００１３】
また、本発明は、上記構成の遠隔制御システムにおいて、前記指令画像は図形であることを特徴としている。
【００１４】
また、上記目的を達成するために本発明は、電気機器を遠隔制御する遠隔制御方法において、ユーザが示した指令画像を撮影するステップと、撮影された前記指令画像に基づいて前記電気機器に対する動作命令を生成するステップと、前記動作命令を前記電気機器に送信するステップと、を備えることを特徴としている。
【００１５】
また、上記目的を達成するために本発明は、電気機器の遠隔制御を行うために用いられる情報処理装置であって、情報を記憶する記憶手段と、外部から受信した画像であって遠隔制御のためにユーザが示した指令画像と、前記記憶手段に記憶される画像とを比較し、前記記憶手段に記憶される画像の中から前記指令画像と一致する画像を探す画像比較手段と、前記画像比較手段によって見つけられた前記一致する画像と対応付けて前記記憶手段に記憶されている動作命令を前記電気機器に対する動作命令として生成する動作命令生成手段と、前記動作命令生成手段によって生成された動作命令を前記電気機器に送信する動作命令送信手段と、を備えることを特徴としている。
【発明の効果】
【００１６】
本発明の第１の構成によれば、本発明の遠隔制御システムによって、家庭内（その他事務所内等でも良い。以下同じ）の遠隔制御を行いたい複数の電気機器に対して遠隔制御を行うことが可能であり、従来のように電気機器ごとに別々に設けられるリモートコントローラの操作方法を覚える必要がなく、ユーザの使い勝手が良くなる。また、必要に応じて、遠隔制御の対象とする電気機器を増やしたり減らしたりできる。また、公衆回線によって通信可能なファクシミリ装置を備えているために、家庭内における遠隔制御のみならず、外出先からファクシミリ通信によって家庭内の電気機器を遠隔制御することができる。
【００１７】
また、本発明の第２の構成によれば、家庭内の遠隔制御を行いたい複数の電気機器に対して遠隔制御を行うことが可能であり、従来のように電気機器ごとに別々に設けられるリモートコントローラの操作方法を覚える必要がなく、ユーザの使い勝手が良くなる。また、必要に応じて、遠隔制御対象とする電気機器を増やしたり減らしたりできる。
【００１８】
また、本発明の第３の構成によれば、上記第２の構成の遠隔制御システムにおいて、公衆回線によって通信可能なファクシミリ装置を備えているために、家庭内における遠隔制御のみならず、外出先からファクシミリ通信によって家庭内の電気機器を遠隔制御することができる。
【００１９】
また、本発明の第４の構成によれば、上記第２又は第３の構成の遠隔制御システムにおいて、動作命令の生成を容易に行うことが可能となる。
【００２０】
また、本発明の第５の構成によれば、上記第２から第４のいずれかの構成の遠隔制御システムにおいて、遠隔制御の対象となる電気機器に対する動作命令を生成する情報処理手段が、図形を用いて動作命令を生成する構成であるために、ユーザが簡単に指示を出し易い。
【００２１】
また、本発明の第６の構成によれば、家庭内の電気機器に対して広く遠隔制御が適用でき、簡単な指示で家庭内の電気機器を遠隔制御できる遠隔制御方法を実現可能である。
【００２２】
また、本発明の第７の構成によれば、家庭内の電気機器に対して広く遠隔制御が適用でき、簡単な指示で家庭内の電気機器を遠隔制御できる遠隔制御システムの提供を可能とする。
【発明を実施するための最良の形態】
【００２３】
以下に本発明の実施形態を、図面を参照しながら説明する。なお、ここで示す実施形態は一例であり、本発明はここに示す実施形態に限定されるものではない。
【００２４】
図１は、本実施形態の遠隔制御システムの構成を示すブロック図である。図１に示されるように、本実施形態の遠隔制御システム１は、ファクシミリ装置２と、カメラ３と、パーソナルコンピュータ（ＰＣ）４と、電気機器５と、第１の通信用ケーブル６と、第２の通信用ケーブル７と、を備える。
【００２５】
本実施形態の遠隔制御システム１は、家庭内の電気機器５を家庭内又は家庭外の離れた位置から遠隔制御するシステムである。なお、ここでは家庭内の電気機器として、１つの電気機器５を遠隔制御する構成を示すが、遠隔制御する家庭内の電気機器の数はこれに限定される趣旨ではなく、複数であっても構わない。また、電気機器５の種類は特に限定されるものではなく、ユーザが遠隔制御したい電気機器に対して広く適用できる。更に、ここでは、家庭内の電気機器として説明するが、家庭内に限定される趣旨ではなく、オフィス内の電気機器等であっても、本発明の遠隔制御システムは適用可能である。
【００２６】
ファクシミリ装置２は、画像を読み取って画像データに変換する装置と、送られてきた画像を印刷する装置と、を備えており、公衆回線を使用して家庭外のファクシミリ装置１００と画像のやり取りが行えるように設けられている。このため、このファクシミリ装置２によって、外出先から画像を送信し、家庭内でその画像を用紙やＯＨＰ用シート等の画像記録用シート媒体に印刷した状態で得ることが可能になっている。
【００２７】
カメラ３は、例えばＣＣＤカメラから成り、図２示すように、ファクシミリ装置２から排出された、受信画像が印刷処理された画像記録用シート媒体１０の全体を撮影できるように配置されている。なお、本実施形態では、カメラ３は、画像記録用シート媒体１０の全体を撮影できるように配置しているが、これに限定される趣旨ではなく、必要な一部のみを撮影できるようにカメラ３を配置する構成としても構わない。
【００２８】
このカメラ３は、本実施形態においては常時撮影を行っている。また、カメラ３は、第１の通信用ケーブル６によってその詳細は後述するＰＣ４と通信可能に設けられている。なお、本実施形態では、第１の通信用ケーブル６としてＬＡＮケーブルを用いて、カメラ３とＰＣ４との間を通信可能としている。しかし、これに限定される趣旨ではなく、本発明の目的を逸脱しない範囲で種々の変更が可能である。すなわち、例えば、カメラ３とＰＣ４との間の通信手段を、無線ＬＡＮによる構成としても構わないし、電力線通信（ＰＬＣ；Power Line Communications）を用いた構成等としても構わない。
【００２９】
ＰＣ４は、電気機器５を動作させるための指令図形がユーザによってカメラ３に示され、その指令図形がカメラ３から送られてきた場合に、送られてきた指令図形と、ＰＣ４が備えるメモリに予め記憶されている図形と、の比較によって電気機器５を動作させるための動作命令を出力する機能を有する。以下、図３を参照しながら、情報処理装置として機能するＰＣ４の構成について説明する。なお、図３は、本実施形態の遠隔制御システム１が備えるＰＣ４の構成を示すブロック図で、遠隔制御にかかわる部分のみを示している。
【００３０】
図３を参照して、ＰＣ４は、画像比較部１１と、動作命令生成部１２と、動作命令送信部１３と、メモリ１４と、を備えている。
【００３１】
画像比較部１１は、カメラ３で撮影した指令図形を第１の通信ケーブル６を介して受信する。そして、例えばテンプレートマッチング手法により、メモリ１４に記憶されている図形の中から、指令図形と一致する図形を探す。すなわち、例えば、予めメモリ１４に記憶されている図形を読み出し、これと受信した図形との差分データを求める等して両者が一致するか否かを判断する。そして、一致するものが見つかるまでこの作業を行う。なお、メモリ１４に記憶した画像の全てと一致しない場合は、画像比較部１１はユーザから電気機器５に対する動作指令が出されていないと判断する。
【００３２】
本実施形態では、カメラ３で撮影した画像情報は、常にＰＣ４に送られるように構成している。しかし、電気機器５を動作させるための指令図形が、ユーザによってカメラ３に撮影されるように示されていない場合には、上述の図形比較を行う必要はない。このため、本実施形態においては、用紙等の画像記録用シート媒体１０が、カメラ３に撮影されていない場合には、画像比較部１１は上述の図形比較を行わないように構成している。画像記録用シート媒体１０がカメラ３に撮影されたか否かの判断は、例えば、画像の変化で判断したり、光の反射率等を測定するようにしておき、反射率変化から判断したりすることが可能である。
【００３３】
なお、カメラ３側に制御機構を設け、画像記録用シート媒体１０が撮影されていない場合には、画像を画像比較部１１に送信しない構成等としても良い。
【００３４】
また、本実施形態では、上述したようにカメラ３はファクシミリ装置２から排出された画像記録用シート媒体１０（図２参照）を撮影するように配置されている。このため、電気機器５に対して動作を起こさせるための指令図形が描かれた画像記録用シート媒体１０以外の画像記録用シート媒体１０がファクシミリ装置２から排出されて、その画像記録用シート媒体１０に記載された画像がカメラ３によって撮影される場合がある。そして、その画像の中に、電気機器５を動作させるための指令図形と同じ図形が期せずして含まれた場合に、画像比較部１１によってメモリ１４に記憶された画像と同一であると誤って判断され、電気機器５を誤動作させる可能性がある。このために、本実施形態では、画像比較部１１は、まず、画像記録用シート媒体１０の所定の位置に特定のマークがあるか否かを判断し、この特定のマークがない場合には、上述の図形比較を行わない構成としている。なお、特定のマークの形状は特に限定されるものでなく、どのようなものでも良い。この特定のマークについては、ユーザが決められる構成とすると、ユーザが忘れることもなく都合が良い。
【００３５】
なお、本実施形態では、電気機器５に対して動作を起こさせるための指令図形であるか否かを判断するために、画像記録用シート媒体の所定の位置に特定のマークがあるか否かを判断する構成としたが、これに限定される趣旨ではない。すなわち、例えば、電気機器５に対して動作を起こさせるための指令図形を所定の大きさ以上とし、所定の大きさ以上の図形でない場合には、電気機器５に対して動作を起こさせるための指令図形でないと判断する構成等しても良い。また、電気機器５に対して動作を起こさせるための指令図形に対して所定の位置に特定のマークを描くようにし、この特定のマークがない場合には、電気機器５に対して動作を起こさせるための指令図形でないと判断する構成等としても良い。
【００３６】
動作命令生成部１２は、画像比較部１１によって見つけ出された指令図形に一致する図形（メモリ１４に記録されている図形）に対応して、メモリ１４に記憶されている動作命令を読み出し、電気機器５に対する動作命令を生成する。
【００３７】
なお、図形とその図形に対応する動作命令は、ユーザが覚え易いように定義すれば良く、その定義された情報がメモリ１４に記憶される。例えば、図形の丸は、電気機器５（例えばＤＶＤレコーダ）に対する記録開始の命令を表し、図形の三角は記録停止を意味するなど、ユーザが定義できる。また、複数の図形を並べることにより、電気機器５に対する命令を複合的なもの（例えば、記録を開始し、所定時間記録を行った後に記録を停止して電源をオフするなど）とする構成等としても良い。
【００３８】
動作命令送信部１３は、動作命令生成部１２で生成された動作命令を電気機器５に送信するように命令する役割を果たす。ＰＣ４と電気機器５とは、第２の通信用ケーブル７によって通信可能に設けられている。なお、本実施形態では、第２の通信用ケーブル７としてＬＡＮケーブルを用いて、ＰＣ４と電気機器５との間を通信可能としている。しかし、これに限定される趣旨ではなく、本発明の目的を逸脱しない範囲で種々の変更が可能である。すなわち、例えば、ＰＣ４と電気機器５との間の通信手段を、無線ＬＡＮによる構成としても構わないし、電力線通信（ＰＬＣ）を用いた構成等としても構わない。
【００３９】
次に、以上のように構成される遠隔制御システム１で電気機器５を遠隔制御する動作について、図４を参照しながら説明する。なお、図４は、本実施形態の遠隔制御システム１で電気機器５を遠隔制御する手順を示すフローチャートである。
【００４０】
遠隔制御システム１によって電気機器５を遠隔制御する場合、まず、ユーザによって、電気機器５を動作させるための指令図形が描かれた画像記録用シート媒体１０がカメラ３に撮影されるように示される（ステップ１）。ユーザが、指令図形が描かれた画像記録用シート媒体１０をカメラ３に示す方法は、家庭内にいるユーザが手で画像記録用シート媒体１０をカメラ３に撮影されるように配置する方法と、家庭外にいるユーザが家庭外のファクシミリ装置１００からファクシミリ装置２に、電気機器５を動作させるための指令図形が描かれた画像記録用シート媒体１０を送信する方法がある。
【００４１】
なお、画像記録用シート媒体１０に描く指令図形は、例えばユーザの手書きあっても、印刷されたものであっても構わない。
【００４２】
次に、カメラ３から第１の通信用ケーブル６を介して、電気機器５を動作させるための指令図形が描かれた画像記録用シート媒体１０についての撮影画像がＰＣ４に送信される（ステップＳ２）。送信された画像を受信したＰＣ４は、画像比較部１１によって、画像記録用シート媒体１０の所定の位置に特定のマークがあるか否かを確認する（この点は図４には示していない）。そして、特定のマークがあれば、メモリ１４に記憶されている図形と受信した指令図形（画像記録用シート媒体１０に描かれている図形）との画像比較を行う（ステップＳ３）。なお、所定の位置に特定のマークがない場合には、電気機器５を動作させるための図形でないと判断して画像比較は行わない。
【００４３】
画像比較の結果、受信した指令図形と一致する図形がメモリ１４に記憶されている場合には、動作命令生成部１２によって、電気機器５に対する動作命令が生成される（ステップＳ５）。一方、受信した指令図形と一致する図形がメモリ１４に記憶されていない場合には、電気機器５に対する動作命令が生成されることなく、遠隔制御は終了する。
【００４４】
動作命令生成部１２によって生成された動作命令は、第２の通信用ケーブル７を介して電気機器５に送信される（ステップＳ６）。動作命令を受けた電気機器５は、動作命令に従って作動する（ステップＳ７）。
【００４５】
以上に示した本実施形態の遠隔制御システム１によれば、リモートコントローラを用いることなく、図形をカメラ３に示すことで電気機器５を制御することができる。そして、家庭外からもファクシミリ装置２を用いることで、家庭内の電気機器５に動作命令を出すことができる。従って、ユーザは、図形をカメラ３に示すという単純な行動で、家庭内及び家庭外から電気機器５に対して簡単に指示を出すことが可能となる。
【００４６】
また、本実施形態の遠隔制御システム１の場合、ＰＣ４によって図形とその図形に対応する動作命令を簡単に定義付けすることが可能であり、ユーザにとって使い勝手の良いものとできる。また、遠隔制御する電気機器５の対象についても変更又は増減し易い。
【００４７】
その他、以上に示した実施形態においては、ユーザが指令図形を描くことによって電気機器に対する動作命令を遠隔から出す構成としているが、必ずしもこれに限定される趣旨ではなく、本発明の目的を逸脱しない範囲で種々の変更が可能である。すなわち、図形のみでなく、例えば図形と数字から成る指令画像をユーザが描くことによって電気機器に対する動作命令を遠隔から出す構成等としても構わない。
【産業上の利用可能性】
【００４８】
本発明によれば、家庭内の電気機器に対して広く遠隔制御が適用でき、簡単な指示で家庭内の電気機器を遠隔制御できるために、非常に有用である。
【図面の簡単な説明】
【００４９】
【図１】は、本実施形態の遠隔制御システムの構成を示すブロック図である。
【図２】は、本実施形態の遠隔制御システムが備えるカメラの配置を説明するための図である。
【図３】は、本実施形態の遠隔制御システムが備えるパーソナルコンピュータの構成を示すブロック図である。
【図４】は、本実施形態の遠隔制御システムで電気機器を遠隔制御する手順を示すフローチャートである。
【符号の説明】
【００５０】
１                遠隔制御システム
２                ファクシミリ装置
３                カメラ（撮影手段）
４                パーソナルコンピュータ（情報処理手段、情報処理装置）
５                電気機器
６                第１の通信用ケーブル（第１の通信手段）
７                第２の通信用ケーブル（第２の通信手段）
１１              画像比較部
１２              動作命令生成部
１３              動作命令送信部
【図１】
2008211546.tif 000003
【図２】
2008211546.tif 000004
【図３】
2008211546.tif 000005
【図４】
2008211546.tif 000006